(57)【特許請求の範囲】
【請求項１】
ロアシャーシおよびその上に組み立てられるアッパシャーシと、ロアシャーシに対しダンパおよびダンパばねを介して支持されたサスペンションシャーシと、前記サスペンションシャーシに取り付けられたディスク再生機構部と、前記ディスク再生機構部に対しディスクを搬入、搬出するディスク搬送機構部と、ロアシャーシの両側面内側に前後方向に摺動可能に設けられて前後方向の係止溝を有する左右一対のサスペンションロック板と前記サスペンションシャーシの両側部に設けられて前記各サスペンションロック板の係止溝と係合可能な係止溝を含みディスクを搬入および搬出する時には前記サスペンションシャーシを前記ロアシャーシとアッパシャーシに対し固定しディスクを再生する時には前記サスペンションシャーシを前記ロアシャーシとアッパシャーシに対する固定を解除するサスペンションロック手段と、前記サスペンションロック板に摺動可能に設けられたラック板と、前記ラック板に設けられたラックギヤと、前記サスペンションロック板に固定されて前記ラック板に設けられたガイド穴をガイドする固定軸に形成されたピニオンと、前記ラック板を後方に向けて押圧付勢するラック板ばねとを有し、前記ラック板が前進して前記ラックギヤがピニオンと噛み合った場合のラック板の後退を阻止するラックロックレバーを備えたことを特徴とするディスク再生装置。
【請求項２】
前記ラックロックレバーが、軸によりサスペンションロックレバーに回動可能に取り付けられ、前記軸を中心に前記サスペンションロック板と前記ラックロックレバーとの間に掛け渡されたラックロックばねにより回動付勢され、前記ラック板が前進した時にその先端部がラック板の突出部の内側に入り込み前記ラック板が後退した時には前記ロアシャーシに設けられた突起に当たってラック板の突出部から出ることを特徴とする請求項１記載のディスク再生装置。
【請求項３】
前記アッパシャーシに回動可能に取り付けられて、左右一対のサスペンションロック板を連結する連結リングを備え、一方のサスペンションロック板を前進駆動させることにより、他方のサスペンションロック板を後退運動させることを特徴とする請求項１記載のディスク再生装置。
【請求項４】
前進駆動させるサスペンションロック板の後部に、前記サスペンションシャーシの係止溝と係合する係止溝を設け、後退運動させるサスペンションロック板の前部に、前記サスペンションシャーシの係止溝と係合する係止溝を設けたことを特徴とする請求項３記載のディスク再生装置。
【請求項５】
前記ディスク搬送機構部が、前記ロアシャーシの両側面に回動可能に支持されたフィード板と、前記フィード板の両側部に回転可能に支持されたフィードローラと、前記フィードローラの軸に固定されたフィードローラギヤと、前記フィードローラギヤに駆動力を伝達するために前記ロアシャーシに設けられたディスク搬送モータと、前記フィード板を前記フィードローラが上方に押圧されるように回動付勢するばねと、前記フィードローラに対向して前記アッパシャーシに固定された摺動板とを備えた請求項１から請求項４のいずれかに記載のディスク再生装置。
【請求項６】
前記フィード板の両側部に外側方向に向けて突設した一対のガイドピンと、前記各サスペンションロック板に設けた斜面部とを有し、前記各サスペンションロック板が移動する時に、前記斜面部により前記ガイドピンを押圧して、前記フィード板を回動させることを特徴とする請求項５記載のディスク再生装置。
【請求項７】
前記フィード板が回動して前記フィードローラが前記摺動板から離れた時には、前記ディスク搬送モータからの駆動力を伝達する駆動ギヤと前記フィードローラギヤとの噛み合いを外すことを特徴とする請求項６記載のディスク再生装置。
【請求項８】
前記フィード板の両側部に外側に向けて軸を突設し、この軸を前記ロアシャーシの立ち上がり片の上部に設けたＵ字溝に挿入して回転可能に支持したことを特徴とする請求項５から請求項７のいずれかに記載のディスク再生装置。
【請求項９】
前記ディスク再生機構部が、ディスクの信号を読み取る光ピックアップを直線駆動する光ピックアップ駆動部と、ディスクを保持するターンテーブルを回転駆動するターンテーブル駆動部と、前記サスペンションシャーシの上面の後部両側を支点として回動可能に設けられて、前記ターンテーブルの対向するディスククランプを有するクランプ板と、前記ディスククランプを前記ターンテーブルに押圧するように前記クランプ板を回動付勢するばねとを備えたことを特徴とする請求項１から請求項８のいずれかに記載のディスク再生装置。
【請求項１０】
前記クランプ板の一側部に外側に向けて突設したガイド片と、前記前進駆動するサスペンションロック板の内側に向けて突設したガイドピンとを有し、前記サスペンションロック板が移動する時に、前記ガイドピンが前記ガイド片上を摺動して、前記クランプ板を回動させることを特徴とする請求項９記載のディスク再生装置。
【請求項１１】
前記クランプ板の上面に復帰ばねを介して回動可能に設けられ、挿入されてきたディスクの周縁により回動する第１検出板と、前記アッパシャーシの下面に前記第１検出板の復帰ばねよりも強いばね力を有する復帰ばねを介して回動可能に設けられ、前記第１検出板の回動に連動して回動する第２検出板とを有し、前記第２検出板の回動により前記サスペンションロック板のラック板を前進させ、そのラックギヤをディスク搬送モータにより駆動される駆動ギヤと一体のピニオンに噛み合せることを特徴とする請求項１０記載のディスク再生装置。
【請求項１２】
ロアシャーシが両側に側板を有し、アッパシャーシが前面板と後面板を有し、それぞれの側板両側と前面板および後面板の両側に設けた係止爪を噛み合せるとともに、アッパシャーシの側板の折り曲げ部に設けたねじ穴に、ロアシャーシの裏面からねじを取り付けることにより、ロアシャーシにアッパシャーシを固定することを特徴とする請求項１から１１のいずれかに記載のディスク再生装置。
【発明の詳細な説明】
【０００１】
【発明の属する技術分野】
本発明は、コンパクトディスク（ＣＤ）、ミニディスク（ＭＤ）、デジタルビデオディスク（ＤＶＤ）等のディスクを再生するための装置、特に車載用のディスク再生装置に関する。
【０００２】
【従来の技術】
従来、車載用のＣＤ再生装置は、運転中に操作が簡単に行える操作性と、走行時の振動下でも確実に再生できることが要求されている。そのためには、ＣＤを挿入口に差し込むだけで、自動的に装置がＣＤを再生装置内に搬送し、適切な再生位置にＣＤを定置させ、かつ十分な力で保持させることが必要である。また、ＣＤの定置完了後の再生時には、車両からの振動加速度が再生系に伝達しにくい構造にする必要がある。
【０００３】
【発明が解決しようとする課題】
しかしながら、上記の車載用ＣＤ再生装置に要求される諸条件を満たそうとすると、部品点数が増加して装置の構造が複雑になり、コストが増加する問題があった。
【０００４】
本発明は、上記従来の問題を解決するものであり、最小の部品点数で上記車載用ＣＤ再生装置に要求される諸条件を満たすことのできるディスク再生装置を提供することを目的とする。
【０００５】
【課題を解決するための手段】
本発明は、上記目的を達成するために、ロアシャーシおよびその上に組み立てられるアッパシャーシとからなるメインシャーシと、ロアシャーシに対しダンパおよびダンパばねを介して支持されたサスペンションシャーシと、サスペンションシャーシに取り付けられたディスク再生機構部と、ディスク再生機構部に対しディスクを搬入、搬出するディスク搬送機構部とを備え、ディスクを搬入および搬出する時には、サスペンションシャーシをメインシャーシに固定し、ディスクを再生する時には、サスペンションシャーシをメインシャーシから外すサスペンションロック手段を備えたものである。
【０００６】
本発明は、上記構成により、走行時の振動下でもディスクを挿入口に差し込むだけで、自動的に装置がディスクを再生装置内に搬送して適切な再生位置にディスクを定置させ、ディスクの定置完了後の再生時には、ディスク再生機構部を有するサスペンションシャーシをメインシャーシから外してフローティング状態にするので、車両からの振動加速度が再生系に伝達されるのを防止することができる。
【０００７】
【発明の実施の形態】
本発明は、ロアシャーシおよびその上に組み立てられるアッパシャーシと、ロアシャーシに対しダンパおよびダンパばねを介して支持されたサスペンションシャーシと、前記サスペンションシャーシに取り付けられたディスク再生機構部と、前記ディスク再生機構部に対しディスクを搬入、搬出するディスク搬送機構部とを備え、ディスクを搬入および搬出する時には、前記サスペンションシャーシを前記ロアシャーシとアッパシャーシに対し固定し、ディスクを再生する時には、前記サスペンションシャーシを前記ロアシャーシとアッパシャーシに対する固定を解除するサスペンションロック手段を備えたディスク再生装置であり、運転中の操作性が良好で、走行時の振動下でも確実に再生可能なディスク再生装置を最小の部品点数で構成できるという作用を有する。
【０００８】
本発明は、サスペンションロック手段が、ロアシャーシの両側面内側に前後方向に摺動可能に設けられて、前後方向の係止溝を有する左右一対のサスペンションロック板と、前記サスペンションシャーシの両側部に設けられて、前記各サスペンションロック板の係止溝と係合可能な係止溝を含む請求項１記載のディスク再生装置であり、サスペンションロック板とサスペンションシャーシとの係脱を簡単な構成により実現できるという作用を有する。
【０００９】
本発明は、アッパシャーシに回動可能に取り付けられて、左右一対のサスペンションロック板を連結する連結リングを備え、一方のサスペンションロック板を前進駆動させることにより、他方のサスペンションロック板を後退運動させることを特徴とする請求項２記載のディスク再生装置であり、左右のサスペンションロック板の連係動作を簡単な構成により実現できるという作用を有する。
【００１０】
本発明は、前進駆動させるサスペンションロック板の後部に、サスペンションシャーシの係止溝と係合する係止溝を設け、後退運動させるサスペンションロック板の前部に、サスペンションシャーシの係止溝と係合する係止溝を設けたことを特徴とする請求項３記載のディスク再生装置であり、左右のサスペンションロック板とサスペンションシャーシとの係脱を簡単な構成により実現できるという作用を有する。
【００１１】
本発明は、前進駆動させるサスペンションロック板が、ラックギヤを有するラック板を備え、前記サスペンションロック板が前進することにより、前記ラック板のラックギヤが、ロアシャーシの側面に設けられた駆動ギヤを介してディスク搬送機構部のフィードローラギヤを回転させることを特徴とする請求項４記載のディスク再生装置であり、ディスク搬送機構部の動作制御を簡単な構成により実現できるという作用を有する。
【００１２】
本発明は、ディスク搬送機構部が、ロアシャーシの両側面に回動可能の支持されたフィード板と、前記フィード板の両側部に回転可能に支持されたフィードローラと、前記フィードローラの軸に固定されたフィードローラギヤと、前記フィードローラギヤに駆動力を伝達するためにロアシャーシに設けられたディスク搬送モータと、前記フィード板を前記フィードローラが上方に押圧されるように回動付勢するばねと、前記フィードローラに対向してアッパシャーシに固定された摺動板とを備えた請求項２から５のいずれかに記載のディスク再生装置であり、ディスク搬送機構部を簡単な構成により実現できるという作用を有する。
【００１３】
本発明は、フィード板の両側部に外側方向に向けて突設した一対のガイドピンと、前記各サスペンションロック板に設けた斜面部とを有し、前記各サスペンションロック板が移動する時に、前記斜面部により前記ガイドピンを押圧して、前記フィード板を回動させることを特徴とする請求項６記載のディスク再生装置であり、ディスク搬送機構部のフィード板をサスペンションロック板とディスク搬送機構部のフィード板との連係動作を簡単な構成により実現できるという作用を有する。
【００１４】
本発明は、フィード板が回動してフィードローラが摺動板から離れた時には、ディスク搬送モータからの駆動力を伝達する駆動ギヤとフィードローラギヤとの噛み合いを外すことを特徴とする請求項７記載のディスク再生装置であり、フィード板によるディスク固定解除動作とディスク搬送モータによるディスク搬送停止動作との連係を簡単な構成により実現できるという作用を有する。
【００１５】
本発明の請求項９に記載の発明は、フィード板の両側部に外側に向けて軸を突設し、この軸をロアシャーシの立ち上がり片の上部に設けたＵ字溝に挿入して回転可能に支持したことを特徴とする請求項６から８のいずれかに記載のディスク再生装置であり、ロアシャーシのフィード板に対する支持を簡単な構成により実現できるという作用を有する。
【００１６】
本発明は、ディスク再生機構部が、ディスクの信号を読み取る光ピックアップを直線駆動する光ピックアップ駆動部と、ディスクを保持するターンテーブルを回転駆動するターンテーブル駆動部と、サスペンションシャーシの上面の後部両側を支点として回動可能に設けられて、前記ターンテーブルの対向するディスククランプを有するクランプ板と、前記ディスククランプを前記ターンテーブルに押圧するように前記クランプ板を回動付勢するばねとを備えたことを特徴とする請求項２から９のいずれかに記載のディスク再生装置であり、ディスク再生機構部を簡単な構成により実現できるという作用を有する。
【００１７】
本発明は、クランプ板の一側部に外側に向けて突設したガイド片と、前記前進駆動するサスペンションロック板の内側に向けて突設したガイドピンとを有し、前記サスペンションロック板が移動する時に、前記ガイドピンが前記ガイド片上を摺動して、前記クランプ板を回動させることを特徴とする請求項１０記載のディスク再生装置であり、サスペンションロック板とクランプ板の連係動作を簡単な構成により実現できるという作用を有する。
【００１８】
本発明は、クランプ板の上面に復帰ばねを介して回動可能に設けられ、挿入されてきたディスクの周縁により回動する第１検出板と、アッパシャーシの下面に前記第１検出板の復帰ばねよりも強いばね力を有する復帰ばねを介して回動可能に設けられ、前記第１検出板の回動に連動して回動する第２検出板とを有し、前記第２検出板の回動により前記サスペンションロック板のラック板を前進させ、そのラックギヤをディスク搬送モータにより駆動される駆動ギヤと一体のピニオンに噛み合せることを特徴とする請求項１１記載のディスク再生装置であり、装置内に挿入されたディスクを検出してディスク搬送系に連係させる動作を簡単な構成により実現できるという作用を有する。
【００１９】
本発明は、クランプ板の後部に、ディスクの周縁に当接してディスクの移動を阻止するストッパ片を備えた請求項１２記載のディスク再生装置であり、装置内に挿入されてきたディスクを所定位置に確実に停止させる機能を簡単な構成により実現できるという作用を有する。
【００２０】
本発明は、ラック板を後方に向けて押圧付勢するばねを有し、ラック板が前進してラックギヤがピニオンに噛み合った時に、ラック板の後退を阻止するラックロックレバーを備えたことを特徴とする請求項１３記載のディスク再生装置であり、ラックギヤとピニオンとの係合を確実にするための機能を簡単な構成により実現できるという作用を有する。
【００２１】
本発明は、ラックロックレバーが、復帰ばねを介してサスペンションロックレバーに回動可能に取り付けられ、ラック板が前進した時には、その先端部がラック板の突出部の内側に入り込み、ラック板が後退した時には、ロアシャーシに設けられた突起に当たってラック板の突出部から出ることを特徴とする請求項１４記載のディスク再生装置であり、ラックロックレバーのラック板に対する係脱を簡単な構成により実現できるという作用を有する。
【００２２】
本発明は、ロアシャーシが両側に側板を有し、アッパシャーシが前面板と後面板を有し、それぞれの側板両側と前面板および後面板の両側に設けた係止爪を噛み合せるとともに、アッパシャーシの側板の折り曲げ部に設けたねじ穴に、ロアシャーシの裏面からねじを取り付けることにより、ロアシャーシにアッパシャーシを固定することを特徴とする請求項１から１５のいずれかに記載のディスク再生装置であり、最小個数のねじで、しかもねじ頭を外側に出さずに、ロアシャーシをアッパシャーシに確実に固定できるという作用を有する。
【００２３】
（実施の形態）
以下、本発明の実施の形態を図面を用いて説明する。なお、サスペンションという用語はサスと略称する。図１の（ａ）はアッパシャーシ組立体の平面図、（ｂ）はその正面図、図２の（ａ）はロアシャーシ組立体の平面図、（ｂ）はその左側面図、図３の（ａ）はロアシャーシ組立体の部分平面図、（ｂ）はその右側面図、図４の（ａ）は右サスロック板組立体の平面図、（ｂ）はその右側面図、図５の（ａ）はローディングモータ組立体の平面図、（ｂ）はその右側面図、図６はフィード板組立体の平面図、図７の（ａ）はサスシャーシ組立体の平面図、（ｂ）はその右側面図、（ｃ）はその部分左側面図である。
【００２４】
（アッパシャーシ組立体）
まず、図１を参照してアッパシャーシ組立体について説明する。図１（ａ）はアッパシャーシ組立体の平面図であり、実際には各部品はアッパシャーシの裏面に取り付けられているが、各部品が分かるように表側に表示したものである。図１において、アッパシャーシ１は、板金で形成され、天板１ａと前面板１ｂと後面板１ｃを有し、前面板１ｂにはＣＤ挿入口２を有する。天板１ａの裏面には、連結リング３が、その内周部を天板１ａに形成された２個の立ち上がり片４と、２個の突起５とでガイドされ、その外周部を４個の折り曲げ片６に挟まれるようにガイドされて、回動可能に支持されている。また、連結リング３は、その外周部に１８０度方向に伸びる２本のアーム７、８を有し、各アーム先端部には係合穴７ａ、８ａが形成されている。各係合穴７ａ、８ａは、アッパシャーシ１の天板１ａに形成された逃げ穴９、１０から覗いている。
【００２５】
第２検出板１１は、樹脂で成形され、中心部に軸１２を有し、その外周部に４本の突片１１ａ、１１ｂ、１１ｃ、１１ｄを有する。第２検出板１１は、その軸１２を天板１ａの穴１３に挿入し、その突片１１ａ、１１ｃを天板１ａの２個の折り曲げ片１４に支持されて、天板１ａの裏面に回動可能に設けられている。突片１１ｄは、その中間部が天板１ａの逃げ穴１５から覗いており、その先端部にはガイドピン１６が下向きに突設されており、突片１１ｂは天板１ａのガイド穴１７から覗いている。第２検出板１１は、突片１１ｂと天板１ａの突起１８との間に引張コイル状の第２検出板ばね１９が掛け渡されて、反時計回り方向に回動付勢されており、突片１１ａ、１１ｃが折り曲げ片１４を形成した抜き穴１４ａの端部に当たることにより位置規制される。
【００２６】
ディスク摺動板２０は、４弗化フルオロエチレン樹脂のような摩擦係数の小さな樹脂で成形され、５個の突片２１が、天板１ａに形成された５個の突片２２に係止され、また２個の突片２３の先端部が、天板１ａに形成された２個の角穴２４に係止されることにより、天板１ａの裏面の取り付けられている。ディスク摺動板２０の表面には、２個または３個の発光ダイオード２５を有するプリント基板２６が、その位置決め穴２７をディスク摺動板２０の突起２８に嵌合させるとともに、４個の引っ掛け爪２９により取り付けられており、発光ダイオード２５は、ディスク摺動板２０の設けられた発光窓３０から下方に向けて発光する。
【００２７】
（ロアシャーシ組立体）
次に、図２および図３を参照してロアシャーシ組立体について説明する。ロアシャーシ３１は、板金で形成され、底板３１ａと左側板３１ｂと右側板３１ｃを有する。底板３１ａには、大きな開口部３２を有し、その後部と左右の周辺部分に３個のダンパ３３が上向きに固定され、各ダンパ３３には圧縮コイルスプリングであるダンパばね３４が嵌め込まれている。このダンパばね３４は、後述するサスシャーシを保持するものである。
【００２８】
ロアシャーシ３１の左側板３１ｂの内側には、左サスロック板３５が前後方向に摺動可能に設けられている。図２（ｂ）に示すロアシャーシの左側面図では、実際には左側板３１ｂの内側に設けられた左サスロック板３５が、表側に見えるように図示されている。左サスロック板３５は、板金で形成され、側板３５ａと、その上部内側方向に向けて折り曲げた上部折り曲げ片３５ｂと、その下部内側方向に向けて折り曲げた下部折り曲げ片３５ｃとを有する。左サスロック板３５は、その側板３５ａに前後方向に設けられた２つの細長いガイド穴３６、３７が、ロアシャーシ３１の左側板３１ｂから折り曲げて突設されたＴ字突起３８、３９に挿入されて、前後方向に摺動可能に設けられている。左サスロック板３５は、その上部折り曲げ片３５ｂの後部に形成された折り曲げ突起４０と、ロアシャーシ３１の左側板３１ａに設けられた折り曲げ突起４１との間に引張コイル状の左サスばね４２が掛け渡されて、常態において前方に押圧付勢されている。左サスロック板３５は、その上部折り曲げ片３５ｂの内側端部に、上方に向けて突設された係合ピン４３を有し、またその下部折り曲げ片３５ｃには、その前端部にＹ字形に切り込まれた係止溝４４を有する。
【００２９】
（右サスロック組立体）
ロアシャーシ３１の右側板３１ｃの内側には、右サスロック板組立体が前後方向に摺動可能に設けられている。図３（ｂ）に示すロアシャーシの右側面図では、実際には右側板３１ｃの内側に設けられた各部品が、表側に見えるように図示されている。右サスロック板組立体は、右サスロック板４５を主体とする。右サスロック板４５は、板金で形成され、側板４５ａと、その上部に内側方向に向けて折り曲げた上部折り曲げ片４５ｂと、その下部に内側方向に向けて折り曲げた下部折り曲げ片４５ｃとを有する。右サスロック板４５は、その側板４５ａに前後方向に設けられた２つの細長いガイド穴４６、４７が、ロアシャーシ３１の右側板３１ｃから折り曲げて突設されたＴ字突起４８と、右側板３１ｃに加締められた固定軸４９に挿入されて、前後方向に摺動可能に設けられている。
【００３０】
右サスロック板４５は、図４に示すように、その上部折り曲げ片４５ｂの内側端部に、上方に向けて突設された係合ピン５０を有し、またその下部折り曲げ片４５ｃには、その後端部にＹ字形に切り込まれた係止溝５１を有する。右サスロック板４５の内側側面には、その上部折り曲げ片４５ｂに設けられた折り曲げ部４５ｄとピン５２とにより、ラックギヤ５３を形成された樹脂製のラック板５４が前後方向に僅かな距離だけ摺動可能に支持されている。ラック板５４の後端部のフック５４ａと右サスロック板４５の折り曲げ部４５ｅとの間には、引張コイル状のラック板ばね５５が掛け渡されて、ラック板５４を常態において後方に押圧付勢している。ラック板５４には、その側面に内側方向に向けてロック突起５４ｂが形成され、ラック板５４が前方へ移動した際に、このロック突起５４ｂの後端側にラックロックレバー５６の先端折り曲げ部５６ａが係合して、ラック板５４の移動を規制するようになっている。ラックロックレバー５６は、軸５７により右サスロック板４５の上部折り曲げ片４５ｂに回動可能に支持され、軸５７を中心に上部折り曲げ片４５ｂの折り曲げ部４５ｆと、ラックロックレバー５６の折り曲げ部５６ｂとの間に掛け渡された捩りコイル状のラックロックばね５８により反時計回り方向に回動付勢されている。また、右サスロック板４５の側板４５ａには、内側に向けてガイドピン５９が突設され、下部折り曲げ片４５ｃには、上方向に向けてガイドピン６０が突設されている。
【００３１】
図２（ａ）において、ロアシャーシ３１の右奥側には、サスロックレバー６１が右サスロック板４５の下部折り曲げ片４５ｃの下側に配置され、軸６２によりロアシャーシ３１に回動可能に支持されている。サスロックレバー６１の折り曲げ部６１ａとロアシャーシ３１の折り曲げ部３１ｄとの間には引張コイル状のサスロックばね６３が掛け渡されて、サスロックレバー６１を常態において時計回り方向に回動付勢している。サスロックレバー６１の先端部には、ガイド突起６１ｂが形成され、ロアシャーシ３１に形成された円弧状のガイド穴６４の下に潜り込んで移動できるようになっている。サスロックレバー６１の背中部６１ｃは、右サスロック板４５の下部折り曲げ片４５ｃに突設されたガイドピン６０に当接して、サスロックレバー６１の反時計回り方向の回動を阻止している。
【００３２】
図３（ｂ）において、サスロック板４５に固定されて、ガイド穴４７をガイドする固定軸４９には、一体に形成されたピニオン６５および駆動ギヤ６６が回転可能に取り付けられている。ピニオン６５は、ラック板５４が前方に移動した場合にラック板５４のラックギヤ５３と噛み合い可能となる。駆動ギヤ６６は、中間ギヤ６７に噛み合い、中間ギヤ６７と一体成形されたウオームホイール６８がウオームギヤ６９と噛み合い、ウオームギヤ６９はディスク搬送モータ７０の回転軸７１に圧入により固定されている。
【００３３】
図５はディスク搬送モータ組立体を示しており、ディスク搬送モータ７０は、モータブラケット７２にねじにより固定され、モータブラケット７２には固定軸７３が加締められ、これにウオームホイール６８および中間ギヤ６７が回転可能に取り付けられている。モータブラケット７２には、その両側に大小の支持片７２ａおよび７２ｂが形成され、大きい方の支持片７２ａには、２つの位置決め穴７４、７５と１つのねじ取付穴７６が形成されている。そして、図３（ａ）に示すように、支持片７２ａおよび７２ｂをロアシャーシ３１に当てがい、位置決め突起７７、７８を位置決め穴７４、７５に挿入して、ねじ取付穴７６にねじを挿入して固定する。なお、ウオームホイール６８および中間ギヤ６７を回転可能に支持する固定軸７３は、その先端部がロアシャーシ３１の支持片７９に形成された回転穴に挿入されることにより、両端支持となる。
【００３４】
（フィード板組立体）
図２（ａ）において、ロアシャーシ３１の前部には、フィード板組立体が配置されている。フィード板組立体は、全体に細長い鼓状の２本のフィードローラ８０、８１が回転可能に挿入されたローラ軸８２を有し、その右端部にはローラギヤ８３が圧入され、上記した駆動ギヤ６６と噛み合い可能になっている。フィード板組立体は、図６に示すように、板金製のフィード板８４の両側板８４ａ、８４ｂに、それぞれローラ軸８２に通された左右のローラ軸受８５、８６が圧入により固定され、ローラ軸８２を回転可能に支持している。フィード板８４の両側板８４ａ、８４ｂにはまた、ガイドピン８７、８８がそれぞれ外側方向に突設されている。また、両側板８４ａ、８４ｂからの立ち上がり片８４ｃ、８４ｄには、支持軸８９、９０が加締めにより固定されている。そして、図２（ａ）に示すように、ロアシャーシ３１前部の左右両側に設けられた立ち上がり片９１、９２に形成されたＵ字溝９１ａ、９２ａに、フィード板組立体の支持軸８９、９０が乗せられとともに、フィード板８４の両側に下方に向けた折り曲げ部８４ｅ、８４ｆと、ロアシャーシ３１の折り曲げ部３１ｅ、３１ｆとの間には、引張コイル状のフィード板ばね９３、９４が掛け渡されて、フィード板８４を上方向に回動付勢して、ローラ軸８２のローラギヤ８３を駆動ギヤ６６に噛み合せている。
【００３５】
図２（ａ）において、ロアシャーシ３１の裏面の前部から左側部分にかけては、プリント基板９５が配置され、ねじにより固定されている。プリント基板９５には、図１に示したアッパシャーシ１のプリント基板２６に設けられた発光ダイオード２５に対応するフォトディテクタ９６が２、３箇所設けられており、フィード板８４のフォトディテクタ９６に対応する部分は、光を透過させるための逃げ溝８４ｇ、８４ｈが形成されている。また、プリント基板９５の左側後端部の上面には、マイクロスイッチ９７が設けられて、左サスロック板３５が後方に移動した時の最終停止位置を検出している。
【００３６】
（サスシャーシ組立体）
次に、図７を参照してサスシャーシ組立体について説明する。図７において、サスシャーシ１０１には、上面に２本のディスク位置決めピン１０２が立設され、下面には３本のダンパ軸１０３が立設されている。サスシャーシ１０１の右側後部には、下方に向けて折り曲げ片１０１ａが形成され、そこに前方に向けてＹ字形に切り込まれた係止溝１０４が形成されている。サスシャーシ１０１の左側前部にも、下方に向けて折り曲げ片１０１ｂが形成され、そこに後方に向けてＹ字形に切り込まれた係止溝１０５が形成されている。サスシャーシ１０１の上面には、両側を軸１０６、１０７によりサスシャーシ１０１の立ち上がり片１０１ｃ、１０１ｄに回動可能の支持されたクランプ板１０８が配置されており、クランプ板１０８の下方に向いた折り曲げ部１０８ａと、サスシャーシ１０１の下方に向いた折り曲げ部１０１ｅとの間に、引張コイル状のクランパ押圧ばね１０９が掛け渡されて、クランプ板１０８を下方に回動付勢している。クランプ板１０８の右側前部には、下方から水平に向けて折り曲げられたガイド片１１０が形成されている。クランプ板１０８の中央前部には、板ばね状のクランプ支持ばね１１１を介してディスククランプ１１２が遊動可能の取り付けられている。ディスククランプ１１２の下方には、ターンテーブル１１３がスピンドルモータ１１４の回転軸に固定されている。
【００３７】
図７において、クランプ板１０８の下方に位置する部品は、実際には見えないが、見えるように表に出して図示してある。トラバースモータ１１５は、モータブラケット１１６にねじで取り付けられ、モータブラケット１１６は、下方からサスシャーシ１０１にねじで固定されている。トラバースモータ１１５の回転軸には、モータプーリ１１７が固定され、モータブラケット１１６に加締められた固定軸１１８に回転可能の設けられた駆動プーリ１１９との間にベルト１２０が掛け渡されている。駆動プーリ１１９には駆動ヘリカルギヤ１２１が一体に形成され、この駆動ヘリカルギヤ１２１は従動ヘリカルギヤ１２２に噛み合っている。従動ヘリカルギヤ１２２は、送りねじ１２３の一端部に固定され、その一端部は軸受１２４に回転可能に支持され、他端部は、スラスト調整ばね１２５を介して軸受１２６に回転可能に支持されている。送りねじ１２３には、光ピックアップユニット１２７の一側部が螺合しており、光ピックアップユニット１２７は、送りねじ１２３の回転により半径方向に駆動される。
【００３８】
図７において、クランプ板１０８の中央後部の上面には、第１検出板１２８が軸１２９を中心に回動可能に設けられており、クランプ板１０８の折り曲げ部１０８ｂと第１検出板１２８の折り曲げ部１２８ａとの間に捩りコイルばね１３０が軸１２９を中心に設けられている。第１検出板１２８は、その軸１２９の近くに突片１２８ｂを備え、クランプ板１０８に設けられた折り曲げ片１０８ｃの下に潜り込んで、外れるのを防止されており、反対側の端部には、下方に向けてガイドピン１３１が突設され、このガイドピン１３１は、クランプ板１０８に形成された円弧状のガイド穴１３２を通って下側に延びている。
【００３９】
（全体の組立）
次に、上記各部を組み立てた状態について説明する。図８において、ロアシャーシ３１の３個のダンパ３３には、サスシャーシ１０１の３本のダンパ軸１０３が挿入され、その周囲をダンパばね３４が囲んでいる。このように、サスシャーシ１０１は、ロアシャーシ３１にフローティング状態で支持されているが、サスシャーシ１０１の右側折り曲げ部１０１ａに形成されたＹ字形の係止溝１０が、右サスロック板４５のＹ字形の係止溝５１に直角に噛み合っており、同様にサスシャーシ１０１の左側のＹ字形の係止溝１０５も、左サスロック板３５のＹ字形の係止溝４４に直角に噛み合っているので、サスシャーシ１０１とロアシャーシ３１とが一体化される。この結合は、サスロックレバー６１の後端部が、サスシャーシ１０１の右側折り曲げ片１０１ａを押さえることにより確実にされる。
【００４０】
図９に示すように、アッパシャーシ１は、ロアシャーシ３１の上から組み込まれ、ロアシャーシ３１の側板３１ａ、３１ｂの前部両側に折り曲げによって形成した係止爪１３５に、アッパシャーシ１の前面板１ｂの両側に折り曲げによって形成した係止爪１３６が差し込まれ、係止爪１３６の突片１３６ａが、係止爪１３５の奥側の壁１３５ａに入り込むことによって強固な箱構造を形成している。また、アッパシャーシ１の前面板１ｂの両側に形成された折り曲げ部１３７にねじ穴１３８が形成され、ロアシャーシ３１に形成されたねじ取付穴１３４にねじ１３３を挿通し、ねじ穴１３８に固定することにより、ロアシャーシ３１とアッパシャーシ１とが強固に固定される。同様に、アッパシャーシ１の後面板１ｃとロアシャーシ３１の側板３１ａ、３１ｂの後部においても、係止爪１３９および１４０が形成され、それぞれの突片１３９ａ、１４０ａを噛み合せ、ねじ１３３で固定することにより強固に固定される。
【００４１】
図８において、連結リング３の左側アーム７に設けられた係合穴７ａに、左サスロック板３５の内側端部に上方に向けて突設された係合ピン４３が下方から挿入され、連結リング３の右側アーム８に設けられた係合穴８ａに、右サスロック板４５の内側端部に上方に向けて突設された係合ピン５０が下方から挿入されている。これにより、連結リング３が時計回り方向に回動すると、左サスロック板３５が後退し、右サスロック板４５が前進し、逆に連結リング３が反時計回り方向に回動すると、左サスロック板３５が前進し、右サスロック板４５が後退するようになる。
【００４２】
図１０において、サスシャーシ１０１の後部両側の軸１０６、１０７により回動可能取り付けられたクランプ板１０８は、その右側に形成されたガイド片１１０が、右サスロック板４５のガイドピン５９の上に乗っており、サスシャーシ１０１に対し開いた状態になり、ディスククランプ１１２がターンテーブル１１３から離れている。第１検出板１２８の先端部には、第２検出板１１のガイドピン１６が当接しており、第１検出板１２８の捩りコイル状の第１検出板ばね１３０は、第２検出板１１の引張コイルばね１９よりもばね力が弱いので、第１検出板１２８は、第２検出板１１のガイドピン１６に押され、第２検出板１１の停止位置まで戻されている。ラック板５４は、ラック板ばね５５により後方に押圧付勢されているので、ラックギヤ５３はピニオン６５と噛み合っていない。
【００４３】
（ディスク再生装置のディスクローディング動作）
（動作１）
次に、上記のように構成されたディスク再生装置にローディング動作について説明する。図１１において、ディスクＤをアッパシャーシ１の前方のディスク挿入口２から挿入すると、アッパシャーシ１に設けた発光ダイオード２５ａからの光がディスクＤによって遮られ、ロアシャーシ３１に設けたフォトダイオード９６で受光されないため、その信号によりディスクＤの挿入が検知される。この検知信号によりディスク搬送モータ７０が反時計回り方向に回転を開始し、モータ７０の回転軸７１に固定されたウオームギヤ６９からウオームホイール６８、中間ギヤ６７、駆動ギヤ６６を通じてローラ軸８２に固定されたローラギヤ８３が回転する。
【００４４】
（動作２）
ディスクＤをさらに押し込むと、ディスクＤは、フィードローラ８０、８１とその上のアッパシャーシ１に固定されたディスク摺動板２０との間に入り込む。フィードローラ８０、８１は、フィード板８４に支持されて、その回転軸８９、９０をロアシャーシ３１のＵ字溝９１ａ、９２ａに支持され、引張コイルばね９３、９４により下方向に回動付勢されているので、ディスクＤをディスク摺動板２０に押し当て、ディスクＤを後方へ搬送する。搬送されたディスクＤは、サスシャーシ１０１の下面に立設された２本のディスク位置決め用の軸１０２の間を通る。もし、ディスクＤが直進せずに左右の方向にずれても、この２本の軸１０２により方向が矯正される。
【００４５】
（動作３）
ディスクＤがさらに搬送されると、ディスクＤは、図１２に示すように、第１検出板１２８のガイドピン１３１に当たり、第１検出板１２８が軸１２９を中心に反時計回り方向に回動するとともに、その先端部１２８ｃが第２検出板１１のガイドピン１６を押し、第２検出板１１を軸１２を中心に時計回り方向に回動させる。ディスクＤはさらに搬送され、クランプ板１０８の後部に下方に折り曲げて形成された２つのストッパ片１０８ｄ、１０８ｅに当たって停止する。このとき、ローラ軸８２は回転を続けているので、フィードローラ８０、８１がローラ軸８２に対しスリップし、ディスクＤに搬送力を与えながら、ディスクＤを確実にストッパ片１０８ｄ、１０８ｅに押し当て、規定位置に位置させる。
【００４６】
（動作４）
図１２において、第２検出板１１が時計回り方向に回動すると、その突片１１ｂが、ラック板５４の後端部突起５４ｃを押すので、ラック板５４が前進し、ラックギヤ５３がピニオン６５に噛み合い、ラック板５４を前方に押し出す。このラック板５４の前進は、図４に示すように、ラック板５４の後端部の折り曲げ突起５４ｃが、サスロック板４５のガイド端部４５ｇに当たるまでの限定されたものであり、このストロークを移動すると、ラックロックレバー５６の先端折り曲げ部５６ａが、捩りコイルばね５８の付勢力により、ラック板５４のロック突起５４ｂの後端側に入り込み、ラック板５４をサスロック板４５に固定する。
【００４７】
（動作５）
ラック板５４を一体化したサスロック板４５は、駆動ギヤ６６と一体のピニオン６５がラックギヤ５３に噛み合っているので、さらに前進する。このサスロック板４５の前進は、図８に示すように、その係合ピン５０を通じて連結リング３の右側アーム８を時計回り方向に回動させるので、連結リング３の左側アーム７が、左サスロック板３５を係合ピン４３を介して後退させる。
【００４８】
（動作６）
右サスロック板４５が前進すると、図１３（ａ）に示すように、まず右サスロック板４５の先端部の斜面部４５ｈが、フィード板８４のガイドピン８８を押し下げるので、フィード板８４が軸９０を中心に時計回り方向に回動して、フィードローラ８０、８１を押し下げ、続いて図１３（ｂ）に示すように、斜面部４５ｈに続く直線部４５ｉにガイドピン８８が係止されることにより、フィード板８４の回動位置が保持される。同時に、図１４（ａ）に示すように、左サスロック板３５の斜面部３５ｃが、同様にフィード板８４のガイドピン８７を押し下げるので、フィード板８４が軸８９を中心に反時計回り方向に回動して、フィードローラ８０、８１を押し下げ、続いて図１４（ｂ）に示すように、斜面部３５ｃに続く直線部３５ｄにガイドピン８７が係止されることにより、その回動位置が保持される。以上の連動動作により、フィードローラ８０、８１はディスクＤから離れる。
【００４９】
（動作７）
このサスロック板４５の前進動作に連動して、図１５に示すように、クランプ板１０８のガイド片１１０を支持していたサスロック板４５のガイドピン５９が移動するので、引張コイルばね１０９（図７参照）により下方に回動付勢されているクランプ板１０８が下方に落下する。このとき、ディスクＤはターンテーブル１１３上に位置しているので、落下してくるクランプ板１０８のディスククランプ１１２の中心部が、ディスクＤの中心穴を捕らえてターンテーブル１１３の円錐台に挿入し、ディスクＤがディスククランプ１１２とターンテーブル１１３との間に挟持される。この時点で、ディスクＤは、クランプ板１０８の後端部の位置決め用の折り曲げ部１０８ｃ、１０８ｅから離れる。
【００５０】
（動作８）
また、右サスロック板４５の前進および左サスロック板３５の後退により、図１６に示すように、右サスロック板４５の後端部のＹ字形の係止溝５１と、サスシャーシ１０１の後端部のＹ字形の係止溝１０４との係合が完全に分離され、同様に左サスロック板３５の中間部のＹ字形の係止溝４４と、サスシャーシ１０１の前端部のＹ字形の係止溝１０５との係合が完全に分離される。また、サスロックレバー６１が、右サスロック板４５のガイドピン６０に押されて、ばね６３の付勢力に抗して軸６２を中心に反時計回り方向に回動するので、サスロックレバー６１の先端部６１ｄがサスシャーシ１０１の折り曲げ片１０１ａに干渉するのを防ぐことができる。この結果、サスシャーシ１０１は、ダンパ３３およびダンパばね３４だけに支持されたフローティング状態になり、サスシャーシ１０１が振動しても、周辺部品に干渉することがない。
【００５１】
（動作９）
このフローティング状態では、図１５に示すように、第２検出板１１の突片１１ｂが、サスロック板４５の後端部の折り曲げ部４５ｊにより前方に押されており、これにより第２検出板１１のガイドピン１６と第１検出板１２８の先端部１２８ｃとの係合が外れて、第１検出板１２８は、捩りコイルばね１３０の復帰力により、軸１２９を中心に反時計回り方向に回転して、ガイドピン１３１がディスクＤに当たるのを防止している。
【００５２】
（動作１０）
上記した一連の動作が終了した状態では、ラック板５４のラックギヤ５３のない部分にピニオン６５が位置するので、ラックギヤ５３とピニオン６５との噛み合いが外れる。この位置で、左サスロック板３５の折り曲げ部３５ｄ（図２（ａ）参照）がマイクロスイッチ９７のアクチュエータ９７ａをオンにすると、その信号によりディスク搬送モータ７０の回転が停止する。この状態では、ラック板５４は、ラックばね５５に引かれて後方に戻され、ラックギア５３はピニオン６５に噛合しようとするが、ピニオン６５の回転が停止しているため、ラックギア５３の歯とピニオン６５の歯とが接触した状態でラック板５４は止まっている。また、この状態で上記動作４で述べたように、ラックロックレバー５６の先端部５６ａが、ラック板５４のロック突起５４ｂの後端側に入り込み、ラック板５４をサスロック板４５に固定しているため、ラック板５４は、ラックギヤ５３がピニオン６５との噛み合いが外れた位置で止まっている。
【００５３】
以上の動作により、ディスクのローディングが完了し、ディスク搬送モータ７０の回転停止と同時にディスクＤの再生開始信号が出力され、フローティング状態のサスシャーシ組立体においてディスクＤの再生が開始される。
【００５４】
（ディスク再生装置のディスクイジェクト動作）
次に、ディスク再生終了後のディスクのイジェクト動作について説明する。このイジェクト動作は、上記したローディング動作の逆と考えてよい。
【００５５】
（動作１１）
ディスクＤの再生が終了して、イジェクトボタンを押すと、ディスク搬送モータ７０が時計回り方向に回転して、ピニオン６５がローディング時とは逆に回転し、動作１０で説明したように、このピニオン６５に噛合していたラックギア５３が駆動されて、ラック板５４を後退させる。ラック板５４は、ラックロックレバー５６により右サスロック板４５と一体化された状態になっているため、ラック板５４とともに右サスロック板４５も後退する。同時に、連結リング３を介して左サスロック板３５も前進する。
【００５６】
（動作１２）
図１６において、サスロック板４５が後退すると、サスロックレバー６１が、ばね６３の付勢力により、その先端部６１ｄがサスシャーシ１０１の折り曲げ片１０１ａの後端部に入り込んでこれを支持する。また、右サスロック板４５の後端部のＹ字形の係止溝５１と、サスシャーシ１０１の後端部のＹ字形の係止溝１０４とが係合する。同様に左サスロック板３５の中間部のＹ字形の係止溝４４と、サスシャーシ１０１の前端部のＹ字形の係止溝１０５とが係合して、サスシャーシ１０１がロアシャーシ３１に固定される。
【００５７】
（動作１３）
図１５において、サスロック板４５が後退すると、サスロック板４５のガイドピン５９が、クランプ板１０８のガイド片１１０を支持して持ち上げ、クランプ板１０８をディスクＤから離間させる。
【００５８】
（動作１４）
図１４、図１３において、サスロック板４５が後退し、その先端部の斜面部４５ｈの位置に、フィード板８４のガイドピン８８が位置すると、ばね９３、９４（図１１参照）の付勢力により、フィード板８４が軸９０を中心に反時計回り方向に回動して、フィードローラ８０、８１を押し上げる。同時に、左サスロック板３５の斜面部３５ｃに、フィード板８４のガイドピン８７が位置して、フィード板８４が軸８９を中心に時計回り方向に回動して、フィードローラ８０、８１を押し上げる。
【００５９】
（動作１５）
図１２において、サスロック板４５が後退して、ロアシャーシ３１の折り曲げ部３１ｇに、ラックロックレバー５６の後端部５６ｃが当たり、ラックロックレバー５６が反時計回り方向に回動して、ラックロックレバー５６の先端折り曲げ部５６ａが、ラック板５４のロック突起５４ｂの後端側から抜け出て、ラック板５４がサスロック板４５から外れる。この係合が外れると、サスロック板４５の後退は止まるが、ラックギヤ５３はピニオン６５に噛み合っているので、さらに後退してラックギヤ５３のない部分で噛み合いが外れる。この噛み合いが外れると、ラック板５４は、ラックばね５５の付勢力によりさらに後退し、ピニオン６５から十分離れて位置に位置する。
【００６０】
（動作１６）
この状態で、第２検出板１１の突片１１ｂは、サスロック板４５の後端部の折り曲げ部４５ｊの押さえから解放され、ばね１９の付勢力により反時計回り方向に回動し、ガイドピン１６が第１検出板１２８の先端部１２８ｃを押し、第１検出板１２８は、ガイドピン１３１がディスクＤの外周面に当たったところで停止する。
【００６１】
（動作１７）
上記の動作１４でフィード板８４が十分に押し上げられると、ディスクＤがフィードローラ８０、８１によりディスク摺動板２０に押し付けられるとともに、ローラギヤ８３が駆動ギヤ６６に噛み合い、ディスクＤを前方向に送り出す。ディスクＤが前方に送り出されると、第１検出板１２８は、第２検出板１１のガイドピン１６に押されて、所定の位置まで戻される。
【００６２】
（動作１８）
図１１において、ディスクＤが前方に送り出され、ディスクＤにより遮られていた発光ダイオード２５ａの光が、その真下のフォトディテクタに受光されると、その信号によりディスク搬送モータ７０の回転が停止し、ディスクＤはその前方部分が装置外に露出するので、ディスクＤを手で掴んで装置から取り出すことができる。以上でイジェクト動作が完了する。
【００６３】
【発明の効果】
以上のように、本発明によれば、走行時の振動下でもディスクを挿入口に差し込むだけで、自動的に装置がディスクを再生装置内に搬送して適切な再生位置にディスクを定置させ、ディスクの定置完了後の再生時には、ディスク再生機構部を有するサスペンションシャーシをメインシャーシから外してフローティング状態にするので、車両からの振動加速度が再生系に伝達されるのを防止することができるとともに、サスペンションシャーシをロアシャーシとアッパシャーシに対し固定またはその固定を解除するサスペンションロック手段におけるラックギヤとピニオンとの係合を確実にするための機能を簡単な構成により実現できるという作用を有する。
【図面の簡単な説明】
【図１】（ａ）本発明の実施の形態におけるアッパシャーシ組立体の平面図
（ｂ）本発明の実施の形態におけるアッパシャーシ組立体の正面図
【図２】（ａ）本発明の実施の形態におけるロアシャーシ組立体の平面図
（ｂ）本発明の実施の形態におけるロアシャーシ組立体の左側面図
【図３】（ａ）本発明の実施の形態におけるロアシャーシ組立体の部分平面図
（ｂ）本発明の実施の形態におけるロアシャーシ組立体の右側面図
【図４】（ａ）本発明の実施の形態における右サスロック板組立体の平面図
（ｂ）本発明の実施の形態における右サスロック板組立体の右側面図
【図５】（ａ）本発明の実施の形態におけるローディングモータ組立体の平面図
（ｂ）本発明の実施の形態におけるローディングモータ組立体の右側面図
【図６】本発明の実施の形態におけるフィード板組立体の平面図
【図７】（ａ）本発明の実施の形態におけるサスシャーシ組立体の平面図
（ｂ）本発明の実施の形態におけるサスシャーシ組立体の右側面図
（ｃ）本発明の実施の形態におけるサスシャーシ組立体の部分左側面図
【図８】（ａ）本発明の実施の形態におけるアッパ／ロアシャーシ組立体の平面図
（ｂ）本発明の実施の形態におけるアッパ／ロアシャーシ組立体の右側面図
【図９】（ａ）本発明の実施の形態におけるアッパシャーシとロアシャーシの前部結合部の分解斜視図
（ｂ）本発明の実施の形態におけるアッパシャーシとロアシャーシの後部結合部の分解斜視図
【図１０】（ａ）本発明の実施の形態におけるアッパ／サス／ロアシャーシ組立体の平面図
（ｂ）本発明の実施の形態におけるアッパ／サス／ロアシャーシ組立体の右側面図
【図１１】（ａ）実施の形態におけるディスクローディング時のフィード板組立体の動作を説明する装置平面図
（ｂ）同装置右側面図
【図１２】（ａ）実施の形態におけるディスクローディング時の検出板および右サスロック板の動作を説明する装置平面図
（ｂ）同装置右側面図
【図１３】（ａ）実施の形態におけるディスクローディング時の右サスロック板とフィード板の動作を説明する概略右側面図
（ｂ）右サスロック板の移動終了時の状態を示す概略右側面図
【図１４】（ａ）実施の形態におけるディスクローディング時の左サスロック板とフィード板の動作を説明する概略左側面図
（ｂ）左サスロック板の移動終了時の状態を示す概略左側面図
【図１５】（ａ）実施の形態におけるディスクローディング終了時の検出板および右サスロック板の動作を説明する装置平面図
（ｂ）同装置右側面図
【図１６】（ａ）実施の形態におけるディスクローディング終了時のサスロックレバーとサスロック板の動作を説明する装置平面図
（ｂ）同装置右側面図
【符号の説明】
１  アッパシャーシ
２  ＣＤ挿入口
３  ロック連結板
４  立ち上がり片
５  突起
６  折り曲げ片
７、８  アーム
９、１０  逃げ穴
１１  第２検出板
１２  軸
１３  穴
１４  折り曲げ片
１５  逃げ穴
１６  ガイドピン
１７  ガイド穴
１８  突起
１９  第２検出板ばね
２０  ディスク摺動板
２１、２２  ２３  突片
２４  角穴
２５  発光ダイオード
２６  プリント基板
２７  位置決め穴
２８  突起
２９  引っ掛け爪
３０  発光窓
３１  ロアシャーシ
３２  開口部
３３  ダンパ
３４  ダンパばね
３５  左サスロック板
３６、３７  ガイド穴
３８、３９  Ｔ字突起
４０、４１  折り曲げ突起
４２  左サスばね
４３  係合ピン
４４  係止溝
４５  右サスロック板
４６、４７  ガイド穴
４８  Ｔ字突起
４９  固定軸
５０  係合ピン
５１  係止溝
５２  ラックギヤ
５４  ラック板
５５  ラック板ばね
５６  ラックロックレバー
５７  軸
５８  ラックロックばね
５９、６０  ガイドピン
６１  サスロックレバー
６２  軸
６３  サスロックばね
６４  ガイド穴
６５  ピニオン
６６  駆動ギヤ
６７  中間ギヤ
６８  ウオームホイール
６９  ウオームギヤ
７０  ディスク搬送モータ
７１  回転軸
７２  モータブラケット
７３  固定軸
７４、７５  位置決め穴
７６  ねじ取付穴
７７、７８  位置決め突起
７９  支持片
８０、８１  フィードローラ
８２  ローラ軸
８３  従動ギヤ
８４  フィード板
８５、８６  ローラ軸受
８７、８８  ガイドピン
８９、９０  支持軸
９１、９２  立ち上がり片
９１ａ、９２ａ  Ｕ字溝
９３、９４  フィード板ばね
９５  プリント基板
９６  フォトディテクタ
９７  マイクロスイッチ
１０１  サスシャーシ
１０２  ディスク位置決めピン
１０３  ダンパ軸
１０４、１０５  係止溝
１０６、１０７  軸
１０８  クランプ板
１０８ｄ、１０８ｅ  ストッパ片
１０９  クランパ押圧ばね
１１０  ガイド片
１１１  クランプ支持ばね
１１２  ディスククランプ
１１３  ターンテーブル
１１４  スピンドルモータ
１１５  トラバースモータ
１１６  モータブラケット
１１７  モータプーリ
１１８  固定軸
１１９  駆動プーリ
１２０  ベルト
１２１  駆動ヘリカルギヤ
１２２  従動ヘリカルギヤ
１２３  送りねじ
１２４  軸受
１２５  スラスト調整ばね
１２６  軸受
１２７  光ピックアップユニット
１２８  第１検出板
１２９  軸
１３０  第１検出板ばね
１３１  ガイドピン
１３２  ガイド穴
１３３  ねじ
１３４  ねじ取付穴
１３５、１３６  係止爪
１３７  突片
１３８  ねじ穴
１３９、１４０  係止爪
【図１】
0004065050.tif 000002
【図２】
0004065050.tif 000003
【図３】
0004065050.tif 000004
【図４】
0004065050.tif 000005
【図５】
0004065050.tif 000006
【図６】
0004065050.tif 000007
【図７】
0004065050.tif 000008
【図８】
0004065050.tif 000009
【図９】
0004065050.tif 000010
【図１０】
0004065050.tif 000011
【図１１】
0004065050.tif 000012
【図１２】
0004065050.tif 000013
【図１３】
0004065050.tif 000014
【図１４】
0004065050.tif 000015
【図１５】
0004065050.tif 000016
【図１６】
0004065050.tif 000017